(57)【要約】【課題】電線の座屈を防止する。【解決手段】コネクタは、ハウジング１０と、電線３２Ａ，３２Ｂの前端部に固着された端子金具２８Ａ，２８Ｂと、端子金具２８Ａ，２８Ｂのうち電線３２Ａ，３２Ｂとの固着部３１Ａ，３１Ｂよりも前方の部位に取り付けられた保持部材２２Ａ，２２Ｂと、ハウジング１０に形成され、電線３２Ａ，３２Ｂが貫通可能であり、且つ前方から端子金具２８Ａ，２８Ｂの少なくとも一部が挿入されることを許容する収容室１３Ａ，１３Ｂと、ハウジング１０に形成され、保持部材２２Ａ，２２Ｂが前方から当たることで端子金具２８Ａ，２８Ｂの後方への移動を規制するストッパ１６Ａ，１６Ｂとを備えている。【選択図】図８
2020087577.tif 000002
【特許請求の範囲】
【請求項１】
ハウジングと、
電線の前端部に固着された端子金具と、
前記端子金具のうち前記電線との固着部よりも前方の部位に取り付けられた保持部材と、
前記ハウジングに形成され、前記電線が貫通可能であり、且つ前方から前記端子金具の少なくとも一部が挿入されることを許容する収容室と、
前記ハウジングに形成され、前記保持部材が前方から当たることで前記端子金具の後方への移動を規制するストッパとを備えていることを特徴とするコネクタ。
【請求項２】
前記保持部材に複数の前記端子金具が保持されていることを特徴とする請求項１記載のコネクタ。
【請求項３】
前記端子金具に、前記保持部材に対する前方又は後方への相対移動を規制する移動規制部が形成されていることを特徴とする請求項１又は請求項２記載のコネクタ。
【請求項４】
前記ストッパが前記収容室の内部に形成され、
前記保持部材の少なくとも一部が前記収容室に嵌入されていることを特徴とする請求項１ないし請求項３のいずれか１項に記載のコネクタ。
【発明の詳細な説明】
【技術分野】
【０００１】
本発明は、コネクタに関するものである。
【背景技術】
【０００２】
特許文献１には、コネクタハウジング内にキャビティが形成され、コネクタハウジングの後方から端子金具をキャビティ内に挿入する技術が開示されている。キャビティには、端子金具の挿入方向と交差する方向へ弾性変位可能なランスが形成され、端子金具をキャビティに挿入する過程では、ランスが端子金具と干渉して弾性撓みする。端子金具が正規位置まで挿入されると、ランスが弾性復帰して端子金具に係止することにより、端子金具が抜止め状態に保持される。
【先行技術文献】
【特許文献】
【０００３】
【特許文献１】特開２０１４−８２０１５号公報
【発明の概要】
【発明が解決しようとする課題】
【０００４】
端子金具をコネクタハウジングに取り付ける際には、端子金具の後端部に固着した電線を摘んで端子金具をキャビティ内に押し込む。端子金具の挿入過程では、ランスが弾性撓みすると、ランスの弾性復元力に起因する挿入抵抗が端子金具に作用する。そのため、ランスの挿入抵抗によって電線が座屈し、端子金具の挿入作業に支障を来すことが懸念される。
【０００５】
本発明は上記のような事情に基づいて完成されたものであって、電線の座屈を防止することを目的とする。
【課題を解決するための手段】
【０００６】
本発明は、
ハウジングと、
電線の前端部に固着された端子金具と、
前記端子金具のうち前記電線との固着部よりも前方の部位に取り付けられた保持部材と、
前記ハウジングに形成され、前記電線が貫通可能であり、且つ前方から前記端子金具の少なくとも一部が挿入されることを許容する収容室と、
前記ハウジングに形成され、前記保持部材が前方から当たることで前記端子金具の後方への移動を規制するストッパとを備えていることを特徴とする。
【発明の効果】
【０００７】
収容室を貫通する電線に端子金具が固着された状態で、電線を後方へ引っ張ると、端子金具の少なくとも一部が収容室に収容され、保持部材がストッパに当たる。これにより、端子金具がハウジングに取り付けられる。端子金具をハウジングに取り付ける際には、電線を引っ張ればよいので、電線の座屈を防止することができる。
【図面の簡単な説明】
【０００８】
【図１】実施例１のコネクタの正面図
【図２】ハウジングの正面図
【図３】第１導電路と第２導電路の斜視図
【図４】第１端子モジュールの斜視図
【図５】第２端子モジュールの斜視図
【図６】ハウジングに第１電線と第２電線を挿通した状態をあらわす側断面図
【図７】第１電線と第２電線に、夫々、第１端子モジュールと第２端子モジュールを固着した状態をあらわす側断面図
【図８】第１導電路と第２導電路をハウジングに取り付けた状態をあらわす側断面図
【発明を実施するための形態】
【０００９】
本発明は、前記保持部材に複数の前記端子金具が保持されていてもよい。この構成によれば、複数の端子金具をワンアクションでハウジングに取り付けることができる。
【００１０】
本発明は、前記端子金具に、前記保持部材に対する前方又は後方への相対移動を規制する移動規制部が形成されていてもよい。この構成によれば、端子金具と保持部材を前後方向において位置決めすることができる。
【００１１】
本発明は、前記ストッパが前記収容室の内部に形成され、前記保持部材の少なくとも一部が前記収容室に嵌入されていてもよい。この構成によれば、保持部材が収容室に嵌入されることで、収容室の貫通方向と交差する方向において端子金具を位置決めすることができる。
【００１２】
＜実施例１＞
以下、本発明を具体化した実施例１を図１〜図８を参照して説明する。尚、以下の説明において、前後の方向については、図３〜８における右方を前方と定義する。上下の方向については、図１〜８にあらわれる向きを、そのまま上方、下方と定義する。左右の方向については、図１，２にあらわれる向きを、そのまま左方、右方と定義する。
【００１３】
本実施例１のコネクタは、合成樹脂製のハウジング１０と、複数の第１導電路２０Ａと、複数の第２導電路２０Ｂとを組み付けて構成されている。ハウジング１０は、壁厚方向を前後方向に向けた壁状の本体部１１と、本体部１１の外周縁から前方へ延出した角筒状のフード部１２とを有する単一部材である。本体部１１には、複数の第１収容室１３Ａ（請求項に記載の収容室）と複数の第２収容室１３Ｂ（請求項に記載の収容室）が、上下に並んだ状態で形成されている。
【００１４】
第１収容室１３Ａは、夫々、左右方向に並列した複数の第１貫通孔１４Ａと１つの第１凹部１５Ａとから構成されている。複数の第１貫通孔１４Ａは、本体部１１を前後方向に貫通した形態である。各第１貫通孔１４Ａの正面視形状（貫通方向と直角に切断した断面形状）は方形である。第１凹部１５Ａは、本体部１１の前面のうち複数の第１貫通孔１４Ａの形成領域全体を含む範囲を段差状に凹ませた形態である。複数の第１貫通孔１４Ａの前端は第１凹部１５Ａ内に開口し、複数の第１貫通孔１４Ａの前端同士が第１凹部１５Ａを介して連通している。
【００１５】
上下方向及び左右方向において、第１凹部１５Ａの形成範囲は、複数の第１貫通孔１４Ａの形成領域よりも広く設定されている。第１凹部１５Ａの内面は、本体部１１の前方に臨む平面からなる奥面と、奥面と直角をなす内周面とから構成されている。奥面のうち貫通孔１４Ａの開口領域を除いた領域は、本体部１１の前方に臨む第１ストッパ１６Ａ（請求項に記載のストッパ）として機能する。凹部１５Ａの内周面は第１位置決め面１７Ａとして機能する。
【００１６】
各凹部１５Ａの左右両端部には、一対の第１リブ１８Ａが形成されている。第１リブ１８Ａは、前後方向（ハウジング１０に対する第１導電路２０Ａの組付け方向と平行に方向）に延びている。正面視において、一対の第１リブ１８Ａは、第１位置決め面１７Ａから左方又は右方（凹部１５Ａの内側）に向かって突出した形態である。各第１凹部１５Ａの開口縁における上縁部には、下向き（凹部１５Ａ内）へ突出した形態の一対の第１抜止め突起１９Ａが形成されている。
【００１７】
第２収容室１３Ｂは、夫々、左右方向に並列した複数の第２貫通孔１４Ｂと１つの第２凹部１５Ｂとから構成されている。第２収容室１３Ｂには、第２ストッパ１６Ｂ（請求項に記載のストッパ）と、第２位置決め面１７Ｂと、左右一対の第２リブ１８Ｂと、左右一対の第２抜止め突起１９Ｂが形成されている。第２収容室１３Ｂを構成する各部位は、第１収容室１３Ａを構成する部位と基本構成は同じである。
【００１８】
第１導電路２０Ａは、１つの第１端子モジュール２１Ａと、複数本の第１電線３２Ａ（請求項に記載の電線）とを備えている。第１端子モジュール２１Ａは、１つの第１保持部材２２Ａ（請求項に記載の保持部材）と、複数の第１端子金具２８Ａ（請求項に記載の端子金具）とを組み付けて構成されている。
【００１９】
第１保持部材２２Ａは、全体として左右方向に細長いブロック状をなす。第１保持部材２２Ａには、前後方向に貫通する複数の第１取付孔２３Ａが形成されている。複数の第１取付孔２３Ａは、複数の貫通孔１４Ａと同一ピッチで形成されている。第１保持部材２２Ａの左右両側面には、第１リブ１８Ａと嵌合可能な第１ガイド溝２４Ａが形成されている。
【００２０】
第１保持部材２２Ａの上面には、左右一対の第１抜止め部２５Ａが形成されている。第１抜止め部２５Ａの前面は、前後方向（ハウジング１０に対する第１端子モジュール２１Ａの組付け方向と平行な方向）と直角な第１係止面２６Ａとなっている。第１抜止め部２５Ａの後面は、前後方向に対して傾斜した第１誘導面２７Ａとなっている。
【００２１】
第１端子金具２８Ａは、細長い金属材料に曲げ加工を施したものである。第１端子金具２８Ａの側面視形状は段差状に屈曲した形状である。第１端子金具２８Ａは、第１保持部材２２Ａに対し後方から第１取付孔２３Ａに圧入することによって組み付けられて一体化されている。第１取付孔２３Ａには、第１端子金具２８Ａの第１被保持部２９Ａが収容されている。
【００２２】
第１端子金具２８Ａのうち第１保持部材２２Ａの前方へ突出した部位は、相手側端子（図示省略）に接続される第１タブ３０Ａとして機能する。第１端子金具２８Ａの後端部は、第１電線３２Ａの前端部に導通可能に固着される第１固着部３１Ａとして機能する。第１固着部３１Ａの上面には、第１電線３２Ａの第１導体３３Ａの前端部が溶着により接続されている。第１導体３３Ａの前端部は、偏平な形状に成形されて第１固着部３１Ａの上面に積層された状態で一体化されている。
【００２３】
第１端子金具２８Ａのうち被保持部２９Ａと固着部３１Ａとの間の屈曲部位は、第１移動規制部３４Ａ（請求項に記載の移動規制部）として機能する。第１移動規制部３４Ａは、第１保持部材２２Ａの後面に対し後方から係止又は接近して対向する位置関係となっている。この位置関係により、第１端子金具２８Ａは、第１保持部材２２Ａに対し前方へ相対変位することを規制されている。
【００２４】
第２導電路２０Ｂは、１つの第２端子モジュール２１Ｂと、複数本の第２電線３２Ｂ（請求項に記載の電線）とを備えている。第２端子モジュール２１Ｂは、１つの第２保持部材２２Ｂ（請求項に記載の保持部材）と、複数の第２端子金具２８Ｂ（請求項に記載の端子金具）とを組み付けて構成されている。第２保持部材２２Ｂは、第１保持部材２２Ａと同じ構成の第２取付孔２３Ｂ、第２ガイド溝２４Ｂ、第２抜止め部２５Ｂ、第２係止面２６Ｂ及び第２誘導面２７Ｂを有している。第２端子金具２８Ｂは、第１端子金具２８Ａと同じ構成の第２被保持部２９Ｂ、第２タブ３０Ｂ、第２固着部３１Ｂ及び第２移動規制部３４Ｂを有する。第２電線３２Ｂも第１電線３２Ａと同一構成である。
【００２５】
次に、本実施例のコネクタの製造工程及び組付け工程を説明する。図４〜６に示すように、各保持部材２２Ａ，２２Ｂに対し複数の端子金具２８Ａ，２８Ｂを後方から組み付けて、端子モジュール２１Ａ，２１Ｂを構成する。また、端子モジュール２１Ａ，２１Ｂの製造工程と前後して、ハウジング１０の各貫通孔１４Ａ，１４Ｂに、夫々、電線３２Ａ，３２Ｂを挿通しておく。
【００２６】
次に、ハウジング１０の前方において、各端子金具２８Ａ，２８Ｂの固着部３１Ａ，３１Ｂに電線３２Ａ，３２Ｂの前端部を接続する。これにより、図７に示すように、導電路２０Ａ，２０Ｂが、電線３２Ａ，３２Ｂをハウジング１０に貫通させた状態で製造される。この後、ハウジング１０の後方へ導出されている電線３２Ａ，３２Ｂを後方へ引っ張ると、導電路２０Ａ，２０Ｂがハウジング１０に対して後方へ相対移動し、導電路２０Ａ，２０Ｂがハウジング１０に組み付けられる。
【００２７】
導電路２０Ａ，２０Ｂがハウジング１０に組み付けられる過程では、保持部材２２Ａ，２２Ｂの誘導面２７Ａ，２７Ｂが抜止め突起１９Ａ，１９Ｂに摺接し、抜止め突起１９Ａ，１９Ｂが弾性変形することによって抜止め部２５Ａ，２５Ｂが抜止め突起１９Ａ，１９Ｂを通過する。この間、端子金具２８Ａ，２８Ｂの固着部３１Ａ，３１Ｂが貫通孔１４Ａ，１４Ｂ内に収容されるとともに、保持部材２２Ａ，２２Ｂの後端側部分が凹部１５Ａ，１５Ｂ内に嵌入される。
【００２８】
導電路２０Ａ，２０Ｂが正規の組付け状態に至ると、保持部材２２Ａ，２２Ｂの後面がストッパ１６Ａ，１６Ｂに当接することにより、ハウジング１０に対する保持部材２２Ａ，２２Ｂ（導電路２０Ａ，２０Ｂ）の後方への相対移動が規制される。これと同時に、保持部材２２Ａ，２２Ｂの係止面２６Ａ，２６Ｂが抜止め突起１９Ａ，１９Ｂに対して後方から係止することにより、ハウジング１０に対する保持部材２２Ａ，２２Ｂ（導電路２０Ａ，２０Ｂ）の前方への相対移動（ハウジング１０からの離脱）が規制される。以上により、コネクタの製造と組付けが完了する。
【００２９】
上述のように、本実施例のコネクタは、ハウジング１０と、電線３２Ａ，３２Ｂの前端部に固着された端子金具２８Ａ，２８Ｂと、端子金具２８Ａ，２８Ｂのうち電線３２Ａ，３２Ｂとの固着部３１Ａ，３１Ｂよりも前方の部位に取り付けられた保持部材２２Ａ，２２Ｂとを備えている。ハウジング１０には、電線３２Ａ，３２Ｂが貫通可能であり、且つ前方から端子金具２８Ａ，２８Ｂの少なくとも一部（固着部３１Ａ，３１Ｂ）が挿入されることを許容する収容室１３Ａ，１３Ｂが形成されている。同じくハウジング１０には、保持部材２２Ａ，２２Ｂが前方から当たることで端子金具２８Ａ，２８Ｂの後方への移動を規制するストッパ１６Ａ，１６Ｂが形成されている。
【００３０】
上記構成により、本実施例１のコネクタでは、収容室１３Ａ，１３Ｂを貫通する電線３２Ａ，３２Ｂに端子金具２８Ａ，２８Ｂが固着された状態で、電線３２Ａ，３２Ｂを後方へ引っ張ると、端子金具２８Ａ，２８Ｂの少なくとも一部が収容室１３Ａ，１３Ｂに収容され、保持部材２２Ａ，２２Ｂがストッパ１６Ａ，１６Ｂに当たる。これにより、端子金具２８Ａ，２８Ｂがハウジング１０に取り付けられる。端子金具２８Ａ，２８Ｂをハウジング１０に取り付ける際には、電線３２Ａ，３２Ｂを引っ張ればよいので、電線３２Ａ，３２Ｂの座屈を防止することができる。
【００３１】
また、１つの保持部材２２Ａ，２２Ｂが複数の端子金具２８Ａ，２８Ｂを保持するので、複数の端子金具２８Ａ，２８Ｂ（１つの導電路２０Ａ，２０Ｂ）をワンアクションでハウジング１０に取り付けることができる。また、端子金具２８Ａ，２８Ｂには、保持部材２２Ａ，２２Ｂに対する前方への相対移動を規制する移動規制部３４Ａ，３４Ｂが形成されているので、端子金具２８Ａ，２８Ｂと保持部材２２Ａ，２２Ｂを前後方向において位置決めすることができる。
【００３２】
また、ストッパ１６Ａ，１６Ｂが収容室１３Ａ，１３Ｂの内部に形成されており、保持部材２２Ａ，２２Ｂの少なくとも一部（後端側部分）が収容室１３Ａ，１３Ｂに嵌入されている。保持部材２２Ａ，２２Ｂが収容室１３Ａ，１３Ｂに嵌入された状態では、保持部材２２Ａ，２２Ｂの外周面が凹部１５Ａ，１５Ｂの位置決め面１７Ａ，１７Ｂに当接する。これにより、保持部材２２Ａ，２２Ｂと端子金具２８Ａ，２８Ｂを、収容室１３Ａ，１３Ｂの貫通方向と交差する上下方向及び左右方向において位置決めすることができる。
【００３３】
＜他の実施例＞
本発明は上記記述及び図面によって説明した実施例に限定されるものではなく、例えば次のような実施例も本発明の技術的範囲に含まれる。
（１）上記実施例１では、端子金具のうち電線との固着部と、保持部材に保持された被保持部とが収容室に収容され、端子金具のタブが収容室の前方へ突出しているが、固着部が収容室の後方へ露出するようにしてもよく、被保持部が収容室の外部に位置するようにしてもよく、端子金具の全領域が収容室に収容されるようにしてもよい。
（２）上記実施例１では、１つの保持部材が複数の端子金具を保持するが、１つの保持部材が保持する端子金具の数は、１つだけであってもよい。
（３）上記実施例１では、電線と端子金具が溶着によって固着されているが、電線と端子金具はバレル部の圧着によって固着されていてもよい。
（４）上記実施例１では、保持部材の一部（後端側部分）のみが収容室内に収容されるが、保持部材の全体が収容室内に収容されるようにしてもよく、保持部材の全体が収容室の外部に位置するようにしてもよい。
（５）上記実施例１では、ストッパが収容室の内部に形成されているが、ストッパは収容室の外部（前方）に形成されていてもよい。
（６）上記実施例１では、保持部材が絶縁材料（合成樹脂材料）からなるが、１つの端子金具に１つの保持部材が取り付けられる場合は、保持部材は導電性材料（金属材料）からなるものでもよい。
（７）上記実施例１では、端子金具が保持部材を貫通しているが、端子金具は、保持部材の外面に形成した溝部に収容されていてもよい。
（８）上記実施例１では、端子保持部の前面には、隣り合う貫通孔の前端同士を連通させる凹部が形成されているが、ハウジングは凹部が形成されていない形態であってもよい。
（９）上記実施例１では、保持部材をハウジングの抜止め突起に引っ掛けることで端子金具の前方への離脱を規制したが、ハウジングの抜止め突起に端子金具を引っ掛けることによって、端子金具の前方への離脱を規制してもよい。
（１０）上記実施例１では、端子金具が前端部にタブを有する雄形の端子であるが、本発明は、端子金具が角筒部内に弾性接触片を収容した形態の雌形の端子である場合にも適用できる。
【符号の説明】
【００３４】
１０…ハウジング
１３Ａ…第１収容室（収容室）
１３Ｂ…第２収容室（収容室）
１６Ａ…第１ストッパ（ストッパ）
１６Ｂ…第２ストッパ（ストッパ）
２２Ａ…第１保持部材（保持部材）
２２Ｂ…第２保持部材（保持部材）
２８Ａ…第１端子金具（端子金具）
２８Ｂ…第２端子金具（端子金具）
３１Ａ…第１固着部（固着部）
３１Ｂ…第２固着部（固着部）
３２Ａ…第１電線（電線）
３２Ｂ…第２電線（電線）
３４Ａ…第１移動規制部（移動規制部）
３４Ｂ…第２移動規制部（移動規制部）
【図１】
2020087577.tif 000003
【図２】
2020087577.tif 000004
【図３】
2020087577.tif 000005
【図４】
2020087577.tif 000006
【図５】
2020087577.tif 000007
【図６】
2020087577.tif 000008
【図７】
2020087577.tif 000009
【図８】
2020087577.tif 000010